(57)【要約】【課題】プラスチックケースを使用することなく、被支持物の良好なディスプレイ性を発現し、被支持物の安定した自立を可能にする支持体を提供することである。【解決手段】支持体１０は、被支持物であるチューブ状容器１００を包装する熱収縮性フィルム１１と、熱収縮性フィルム１１に包装されたチューブ状容器１００を貼着保持し、被支持物の支持状態で下端部２２がチューブ状容器１００の重心対応位置Ｐ２よりも後方に位置する静置面２００に接触する台紙本体１３と、被支持物の支持状態で台紙本体１３の前面１９から下向きに傾斜して前方に延び、重心対応位置Ｐ２より前方に位置する静置面２００に接触する脚部片１４を備える。【選択図】図１
2012020762.tif 000002
【特許請求の範囲】
【請求項１】
前面に被支持物が保持される台紙を備え、
被支持物の支持状態で、台紙の下端部が被支持物の後方に位置する静置面に接触する支持体において、
被支持物の支持状態で、台紙の前面から下向きに傾斜して前方に延び、静置面に接触する脚部片を備えることを特徴とする支持体。
【請求項２】
請求項１に記載の支持体において、
脚部片は、
台紙の下端部から所定長さ上方に設けられる根元部と、
被支持物の重心に対応する静置面上の位置よりも前方の静置面に接触する先端部と、
を有することを特徴とする支持体。
【請求項３】
請求項１又は２に記載の支持体において、
脚部片は、
被支持物が挿入される挿入開口と、
挿入開口の周縁部であって、被支持物の後方に当接する後方当接部と、
を有することを特徴とする支持体。
【請求項４】
請求項３に記載の支持体において、
脚部片は、挿入開口の周縁部に、被支持物の前方に当接する前方係合部を有することを特徴とする支持体。
【請求項５】
請求項１〜４のいずれか１に記載の支持体において、
台紙の前面に固定され、熱収縮により被支持物を包装する熱収縮性フィルムを備え、
熱収縮性フィルムを介して、被支持物が台紙の前面に保持されることを特徴とする支持体。
【請求項６】
請求項１〜５のいずれか１に記載の支持体において、
台紙は、
前面に被支持物が保持される台紙本体と、脚部片とから構成され、
台紙本体の下端から上方に切り込まれ、台紙本体と脚部片とを分離する切断線と、
台紙本体と脚部片との境界位置に形成される折り曲げ部と、
を有し、被支持物を支持状態において、切断線と折り曲げ部とに囲まれた脚部片が折り曲げ部で前方に折り曲げられることを特徴とする支持体。
【請求項７】
請求項１〜５のいずれか１に記載の支持体において、
台紙は、前面に被支持物が保持される台紙本体上部と、脚部片とを含み、
脚部片は、
台紙の下部全体を前方に折り曲げて形成される表面部と、
折り曲げた台紙を後方に折り返して形成され、当該表面部の裏側に重ね合わせられる裏面部と、
を有することを特徴とする支持体。
【請求項８】
請求項７に記載の支持体において、
脚部片の裏面部から延出して、台紙本体上部の後面に接合される接合部と、
裏面部に切断線を切り込むことで形成され、接合部から下方に延びて被支持物の後方に位置する静置面に接触する台紙本体下部と、
を備えることを特徴とする支持体。
【発明の詳細な説明】
【技術分野】
【０００１】
本発明は、支持体に関し、より詳しくは、前面に被支持物が貼着される台紙を備え、被支持物の自立を支持する支持体に関する。
【背景技術】
【０００２】
商品が外側から見えるように包装した所謂ブリスターパックは、例えば、乾電池、電球等の小型電気製品、歯ブラシ、カミソリ、化粧品類など様々な商品について多く使用されている。一般的に、ブリスターパックは、商品の大きさや形状に合わせて成形され後面側に開口を有するプラスチックシートの成形体（以下、プラスチックケースとする）と、当該成形体の後面開口をカバーする台紙とから構成されている。
【０００３】
一般的に、ブリスターパックは、吊り下げ陳列されることが多いが、商品棚等に自立させて陳列可能な形態も幾つか提案されている。例えば、特許文献１には、台紙と、塩化ビニル樹脂等を真空成形したプラスチックケースとを備え、プラスチックケースの下端面に、自立させて陳列することを可能にする陳列用脚部が２ヶ所に設けられたスライド式ブリスターパックが開示されている。
【先行技術文献】
【特許文献】
【０００４】
【特許文献１】特開２００７‐１３７４４３号公報
【発明の概要】
【発明が解決しようとする課題】
【０００５】
上記特許文献１に開示されたブリスターパックは、商品棚等に自立させて陳列することが可能である。しかしながら、従来のブリスターパックは、商品の形状、脚部の形状に合わせて予め成形されたプラスチックケースを備えるので、組み立てる前でも嵩高く、輸送性が悪いという問題が指摘されている。また、成形体としての剛性を確保するためにプラスチックケースの薄肉化が困難であり、材料コストや環境負荷の軽減等の観点から改良の余地がある。
【０００６】
本発明の目的は、プラスチックケースを使用することなく、被支持物の良好なディスプレイ性を発現し、被支持物の安定した自立を可能にする支持体を提供することである。
【課題を解決するための手段】
【０００７】
本発明に係る支持体は、前面に被支持物が保持される台紙を備え、被支持物の支持状態で、台紙の下端部が被支持物の後方に位置する静置面に接触する支持体において、被支持物の支持状態で、台紙の前面から下向きに傾斜して前方に延び、静置面に接触する脚部片を備えることを特徴とする。
当該構成によれば、台紙の下端部および脚部片の先端部が静置面に接触し、プラスチックケースを使用しなくても、被支持物を安定して自立させることが可能になる。即ち、台紙が支持体の後脚、脚部片が支持体の前脚として機能する。また、脚部片は、台紙の前面から下向きに傾斜して前方に延びるので、被支持物の前方を広く覆わず、本発明に係る支持体は、プラスチックケースを使用したブリスターパックと同様の優れたディスプレイ性を備える。
【０００８】
また、本発明に係る支持体において、脚部片は、台紙の下端部から所定長さ上方に設けられる根元部と、被支持物の重心に対応する静置面上の位置よりも前方の静置面に接触する先端部と、を有することが好ましい。
当該構成によれば、より安定した自立形態を実現することができる。脚部片は、特に支持体の後方から前方に向かって作用する力をより効果的に受容することができ、被支持物を支持した支持体が前方へ転倒することをより高度に防止することができる。
【０００９】
また、本発明に係る支持体において、脚部片は、被支持物が挿入される挿入開口と、挿入開口の周縁部であって、被支持物の支持状態で被支持物の後方に当接する後方当接部と、を有することが好ましい。
当該構成によれば、後方当接部が被支持物の後方に当接しているため、支持体を前傾させるような力が加わった場合であっても、脚部片が上方に浮き上がらず、特に前方への転倒をより高度に防止することができる。即ち、脚部片が上方に浮き上がろうとしても、後方当接部が被支持物の後方にあたっているから、脚部片は上方に向かって動くことができない。換言すると、脚部片は、被支持物によって下方に押さえ付けられているから、上方に浮き上がることを防止できる。
【００１０】
また、上記後方当接部を有する構成において、脚部片は、挿入開口の周縁部に、被支持物の支持状態で被支持物の前方に当接する前方係合部を有することが好ましい。
当該構成によれば、後方当接部により脚部片の上方への浮き上がりを防止できると共に、前方係合部が被支持物の前方に当接していることから、脚部片が被支持物の前方に引っ掛った状態となる。ゆえに、脚部片が前方に延びた状態を維持し易くなる。
【００１１】
また、本発明に係る支持体において、台紙の前面に固定され、熱収縮により被支持物を包装する熱収縮性フィルムを備え、熱収縮性フィルムを介して、被支持物が台紙の前面に保持される構成とすることができる。
【００１２】
また、本発明に係る支持体において、台紙は、前面に被支持物が保持される台紙本体と、脚部片とから構成され、台紙本体の下端から上方に切り込まれ、台紙本体と脚部片とを分離する切断線と、台紙本体と脚部片との境界位置に形成される折り曲げ部と、を有し、被支持物を支持状態において、切断線と折り曲げ部とに囲まれた脚部片が折り曲げ部で前方に折り曲げられる構成とすることができる。
当該構成によれば、１枚の台紙に切断線および折り曲げ部を形成し、切断線と折り曲げ部とに囲まれた脚部片を折り曲げるという簡便な方法によって、台紙本体、被支持物の後方に位置する静置面に接触する台紙本体の下端部および脚部片が構成されるので、支持体の生産性がより向上すると共に、輸送性にも優れる。
【００１３】
また、本発明に係る支持体において、台紙は、前面に被支持物が保持される台紙本体上部と、脚部片とを含み、脚部片は、台紙の下部全体を前方に折り曲げて形成される表面部と、折り曲げた台紙を後方に折り返して形成され、当該表面部の裏側に重ね合わせられる裏面部と、を有する構成とすることができる。
当該構成によれば、１枚の台紙の下部を折り曲げるという簡便な方法によって、台紙本体および脚部片が構成されるので、支持体の生産性がより向上すると共に、輸送性にも優れる。さらに、脚部片は、台紙が重ね合わされた積層構造を有するので、その剛性を向上させることができ、脚部片が前方に延びた状態をより維持し易くなる。
また、当該構成において、脚部片の裏面部から延出して台紙本体上部の後面に接合される接合部と、裏面部に切断線を切り込むことで形成され接合部から下方に延びて被支持物の後方に位置する静置面に接触する台紙本体下部とを備えることが好ましい。
【発明の効果】
【００１４】
本発明に係る支持体は、プラスチックケースを使用することなく、従来のブリスターパックと同様に良好なディスプレイ性を発現し、被支持物の安定した自立を可能にする。本発明に係る支持体によれば、プラスチックケースを使用しないため、被支持物を支持する前において嵩張らず、輸送性を向上させることができ、また、材料コストや環境負荷の軽減を図ることができる。
【図面の簡単な説明】
【００１５】
【図１】本発明の第１実施形態である支持体を示す斜視図であって、被支持物の支持形態を示す図である。
【図２】図１に示す支持体の側面図である。
【図３】本発明の第１実施形態である支持体を示す平面図であって、折り畳み形態を示す図である。
【図４】本発明の第１実施形態である支持体において、被支持物の支持形態を作製する過程を示す図である。
【図５】本発明の第１実施形態である支持体の変形例を示す平面図である。
【図６】本発明の第２実施形態である支持体を示す平面図であって、脚部片が折り畳まれた形態を示す図である。
【図７】本発明の第２実施形態である支持体を示す側面図であって、被支持物の支持形態を示す図である。
【図８】本発明の第３実施形態である支持体を示す斜視図である。
【図９】本発明の第４実施形態である支持体を示す斜視図である。
【図１０】本発明の第５実施形態である支持体を示す斜視図であって、被支持物の支持形態を示す図である。
【図１１】図１０に示す支持体の側面図である。
【図１２】図１０に示す支持体の背面図である。
【図１３】図１０に示す支持体の台紙の展開図である。
【発明を実施するための形態】
【００１６】
図面を用いて、本発明に係る支持体の実施形態について以下説明する。なお、図１〜５は、第１実施形態である支持体１０を、図６，７は、第２実施形態である支持体３０を、図８は、第３実施形態である支持体４０を、図９は、第４実施形態である支持体５０を、図１０〜１３は、第５実施形態である支持体６０を、それぞれ示す図である。
【００１７】
また、以下の実施形態では、被支持物として、チューブ状容器１００を例示するが、本発明に係る支持体の被支持物はこれに限定されない。図１に示すように、チューブ状容器１００は、内容物が充填されている容器本体１０１と、注出部と、注出部に着脱自在に取り付け可能なキャップ部１０２とから構成されており、容器本体１０１およびキャップ部１０２に沿った方向（長手方向）に細長く、前後対称、左右対称の形状を有している。容器本体１０１は、柔軟性のある円筒中空状に形成され、その一端部に注出部が形成され、他端部は熱溶着により偏平状に閉塞されている。キャップ部１０２は、容器本体１０１よりも直径が小さく、先端側に向かって縮径した略円柱形状を有する。なお、支持体１０において、チューブ状容器１００は、キャップ部１０２を鉛直下方に向け、長手方向が鉛直方向に沿うように支持されている。
【００１８】
また、以下の実施形態では、支持体は、チューブ状容器１００を支持して、静置面２００上に自立させるものとして説明する。即ち、静置面２００とは、支持体に支持されるチューブ状容器１００が自立する面を意味する。静置面２００としては、例えば、店頭で商品が並べられる一般的な商品棚やテーブル等の平坦な面が例示できる。或いは、緩やかな曲面や多少の凹凸がある面であってもよい。なお、支持体に支持されるチューブ状容器１００は、静置面２００に接触していてもよいし、非接触であってもよい。
【００１９】
なお、本明細書では、被支持物が貼着支持される台紙の面を前面と定義し、当該前面を基準として前方、後方の用語を用いる。また、支持体等の前後に略沿った方向である前後方向、鉛直方向に略沿った方向である上下方向、上下方向に略直交する方向である幅方向又は横方向等の用語を用いる。また、上下方向および前後方向に沿った長さを単に長さと称し、幅方向又は横方向に沿った長さを幅と称することがある。但し、これらの方向を示す用語は、支持体の構成を説明するために用いるものであって、支持体の構成要素と、方向との関係を限定するものではない。例えば、本発明に係る支持体は、台紙の後面が商品棚等の前方に向いて陳列されることがあってもよい。
【００２０】
＜第１実施形態＞
図１〜図５を用いて、第１実施形態である支持体１０について以下説明する。まず初めに、図１〜図３を用いて、支持体１０の構成を説明する。
【００２１】
図１および図２は、支持体１０にチューブ状容器１００が支持されて、支持体１０によって静置面２００上に自立している状態を示す図である。なお、同図に示す例では、チューブ状容器１００が静置面２００に接触しない状態で支持されている。
図１および図２に示すように、支持体１０は、チューブ状容器１００を支持して静置面２００に自立させる機能を有し、チューブ状容器１００を包装する熱収縮性フィルム１１と、熱収縮性フィルム１１が貼着された台紙１２とから構成される。そして、台紙１２は、前面１９にチューブ状容器１００を包装した熱収縮性フィルム１１を貼着するための貼着部２１を有する台紙本体１３と、台紙本体１３の前面１９から前方に延びる脚部片１４とで構成されている。
【００２２】
なお、詳しくは後述するが、台紙１２には、台紙本体１３と脚部片１４とを分離する２本の切断線１５と、台紙本体１３と脚部片１４との境界位置を決める折り曲げ罫線１６とが形成され、各線で囲まれた部分である脚部片１４を折り曲げ罫線１６で前方に折り曲げることで、図１および図２に示す被支持物の支持状態が得られる。ここで、支持状態とは、チューブ状容器１００を支持して、静置面２００上に自立させる状態を意味し、当該状態における支持体１０の形態を支持形態又は自立形態と称する。
【００２３】
熱収縮性フィルム１１は、台紙本体１３の貼着部２１に貼着され、熱収縮により被支持物であるチューブ状容器１００を包装する部材である。熱収縮性フィルム１１は、上下両端が開口し、熱収縮前においてチューブ状容器１００が挿入可能な筒状体として貼着部２１に貼着されている。この熱収縮性フィルム１１の筒状体は、チューブ状容器１００と同等の長さを有し、熱収縮により先端および末端を除くチューブ状容器１００の全体に密着する。勿論、チューブ状容器１００の先端および末端に折れ込む長さにしてもよい（図７参照）。また、熱収縮性フィルム１１の筒状体には、その上下方向に沿って図１，２では図示しないセンターシール部１７（図３参照）と、ミシン目線１８とが設けられている。
【００２４】
熱収縮性フィルム１１は、例えば、フィルムの両端をテトラヒドロフラン（ＴＨＦ）等の有機溶剤を用いて接合（センターシール）して筒状にされる。このとき形成される接合部がセンターシール部１７であり、チューブ状容器１００の後方に位置する部分に、筒状体の上下方向に沿って形成される。また、筒状体は、熱収縮性フィルム１１の主延伸方向が周方向となるように形成される。
【００２５】
なお、ミシン目線１８は、熱収縮性フィルム１１を切断するための切断補助線であって、熱収縮性フィルム１１からチューブ状容器１００を取り出そうとするときに切断される。一般的に、ミシン目線１８は、列状に並んだ複数の微小な貫通孔から構成されており、例えば、チューブ状容器１００の前方に位置する部分に形成することができる。図１に示す例では、筒状体の上部を残して筒状体の上下方向に沿って形成されているが、筒状体の全長にわたって形成されていてもよい。また、ミシン目線１８の形成位置は、商品デザイン等を阻害しないよう、チューブ状容器１００の側方、後方に設けるのが好ましい。
【００２６】
熱収縮性フィルム１１を構成する樹脂フィルムの具体例としては、ポリエチレン（ＰＥ）、ポリプロピレン（ＰＰ）等のポリオレフィン系、ポリエチレンテレフタレート（ＰＥＴ）、ポリブチレンテレフタレート（ＰＢＴ）等のポリエステル系、ポリスチレン系（ＰＳ）、並びにポリ乳酸（ＰＬＡ）、ポリアミド、およびポリ塩化ビニル等の樹脂からなるフィルムが挙げられる。これらのうち、適切な収縮応力と高い透明性を有することから、ポリエステル系、ポリオレフィン系、およびポリスチレン系のフィルムが好ましく、ポリエステル系フィルムが特に好ましい。また、これらの樹脂を２種以上混合した樹脂混合物を含むフィルムを用いることもできるし、２種以上のフィルムを積層した積層フィルムを用いることもできる。
【００２７】
熱収縮性フィルム１１は、優れた熱収縮特性を発現するために、少なくとも一方向に延伸された一軸延伸フィルムであって、筒状体の周方向に熱収縮するフィルムが好ましいが、筒状体の長さ方向にも熱収縮する二軸延伸フィルムであってもよい。熱収縮性フィルム１１の熱収縮率としては、主延伸方向に対して、２０〜８０％（９０℃の温水に１０秒間浸漬）であることが好ましく、３０〜８０％であることが特に好ましい。
【００２８】
熱収縮性フィルム１１の厚みとしては、特に限定されないが、１０〜１００μｍであることが好ましく、より好ましくは１５〜８０μｍ、特に好ましくは２０〜５０μｍである。また、熱収縮性フィルム１１としては、チューブ状容器１００に施された印刷が見えるように、無色透明の樹脂フィルムが用いられるが、着色された樹脂フィルム、或いは商品名やデザイン等を表示するための印刷層が形成された樹脂フィルムを用いることもできる。
【００２９】
台紙１２は、上記のように、台紙本体１３と、脚部片１４とで構成されるシート状の部材であって、熱収縮性フィルム１１を介してチューブ状容器１００を保持し、チューブ状容器１００の自立を支持する部材である。図１に示す例では、２本の切断線１５と折り曲げ罫線１６とが台紙１２に形成されることで、１つの台紙１２から台紙本体１３と脚部片１４とが構成されている。なお、脚部片１４を折り曲げ易くするために、台紙本体１３と脚部片１４との境界位置に形成される折り曲げ部としては、折り曲げ罫線１６だけでなく、ハーフカット線、ミシン目線等を用いることができる。また、切断線１５としては、台紙本体１３と脚部片１４とを容易に分離することができれば特に限定されず、例えば、切込み、ハーフカット線、ミシン目線等を用いることができる。
【００３０】
台紙１２を構成するシートの具体例としては、特に限定されず、例えば、熱収縮性フィルム１１と同様の樹脂等からなる樹脂製シートや紙材を主基材とするシートを用いることができる。一般的には、紙材を主基材とするシートが用いられる。紙材を主基材とするシートは、例えば、紙のみからなる厚紙や紙製シートに各種樹脂をコーティング又は樹脂製シートを張り合わせた合成紙等が挙げられる。なお、以下では、台紙１２は、紙材を主基材とするシートから構成されるものとして説明する。
【００３１】
台紙１２の厚みとしては、脚部片１４の剛性や加工性を考慮して設定されることが好ましく、少なくとも脚部片１４がチューブ状容器１００の重量等により途中で折れ曲がることなく、チューブ状容器１００を十分に支持できる程度の厚みに設定される。台紙１２の厚みは、それを構成するシートによっても多少異なるが、例えば、０．２〜２ｍｍ程度の厚みが好ましく、０．５〜１．５ｍｍ程度の厚みがより好ましい。
【００３２】
台紙本体１３は、互いに平行な前面１９および後面２０を有する平坦なシートである。台紙本体１３は、チューブ状容器１００が貼着される部分であると共に、支持体１０の後脚として機能する部分でもあり、チューブ状容器１００を貼着するための貼着部２１と、チューブ状容器１００の後方に位置する静置面２００に接触する下端部２２とを有する。また、台紙本体１３には、上端部近傍の幅方向の中央部に、吊り下げ孔２３が設けられている。この吊り下げ孔２３は、店頭で吊り下げ陳列されるときに、ハンガー棒等が通される貫通孔である。
【００３３】
台紙本体１３の形状としては、例えば、平面形状が略矩形形状であって、チューブ状容器１００のサイズよりも大きな上下方向および幅方向の長さを有し、チューブ状容器１００の後方を完全に覆う形状とすることができる。また、台紙本体１３は、下部の幅方向の中央部に凹状部が形成されている。この凹状部は、脚部片１４に対応するものであり、２本の切断線１５および折り曲げ罫線１６により形成されている。
【００３４】
貼着部２１は、台紙本体１３の前面１９の一部に設けられている。図１に示す例では、前面１９の幅方向の中央部であって、折り曲げ罫線１６よりやや上方から上下方向の中間位置まで、上下方向に細長い領域に設けられている。貼着部２１は、上記のように、チューブ状容器１００が包装された熱収縮性フィルム１１を貼着する機能を有し、例えば、前面１９の形成予定位置に接着剤を塗布する、或いは両面粘着テープ等を貼着することで形成される。なお、以下では、貼着部２１は、接着剤の塗布により形成されるものとして説明する。
【００３５】
貼着部２１を形成する接着剤は、熱収縮性フィルム１１との接着強度が強く、チューブ状容器１００等の荷重に耐えて、流通・陳列過程における長時間の接着状態を維持できる接着剤であれば種々の接着剤を使用することができる。接着剤の例示としては、エラストマー系接着剤、熱可塑性樹脂系接着剤、およびホットメルト接着剤等が挙げられ、特に加熱塗工でき、常温で粘着性を有するホットメルト接着剤が好適である。なお、接着強度は、接着剤の種類だけでなく、接着剤の塗布面積や各種添加物等によっても調整することができ、被支持物の重量等に応じて適宜調整できる。
【００３６】
下端部２２は、被支持物の支持状態、即ち支持体１０の支持形態で、台紙本体１３の下端に位置する部分であって、前面１９の貼着部２１に貼着されたチューブ状容器１００の後方に位置する静置面２００に接触する部分である。台紙本体１３の下部には、その幅方向の中央部に、脚部片１４に対応する上記凹状部が形成されており、下端部２２は、その凹状部の両側に分かれて存在する。また、凹状部の両側に位置する各下端部２２は、互いに等しい幅を有すると共に、平坦な静置面２００に隙間なく接触可能な凹凸のない平坦な形状（直線形状）を有している。なお、下端部２２は、平坦な静置面２００に対して、幅（Ｗ）×台紙本体１３の厚み（Ｔ）に相当する接触面積を有し、Ｗ又はＴを調整することで接触面積を適宜変更することができる。
【００３７】
なお、図示しないが、台紙本体１３の前面１９および後面２０には、一般的に、商品名（チューブ状容器１００に充填された商品の名称）やデザイン、商品説明等を表示するための印刷が施される。
【００３８】
脚部片１４は、被支持物の支持状態で、台紙本体１３の前面１９から下向きに傾斜して前方に延び、静置面２００に接触する部分であって、支持体１０の前脚として機能する部分である。図１に示す例において、脚部片１４は、その外郭平面形状が略正方形であるロの字状の片であって、根元部２４と、先端部２５と、チューブ状容器１００のキャップ部１０２が挿入される挿入開口２６と、挿入開口２６の周縁部である開口周縁部２７のうち、キャップ部１０２の後方に当接する後方当接部２７ｂとを有する。
【００３９】
また、脚部片１４は、台紙本体１３の下部において幅方向の中央部に設けられる。また、自立性や意匠性の観点から、台紙本体１３および脚部片１４の幅方向の中心は、概ね一致するように設計されることが好ましい。さらには、台紙本体１３の貼着部２１、吊り下げ孔２３、脚部片１４、および脚部片１４の挿入開口２６は、それぞれの幅方向の中心が、概ね一致するように設計されることが好ましいが、被支持物の支持位置により変更可能である。
【００４０】
なお、以下では必要により、脚部片１４の挿入開口２６以外の部分を脚部と称して説明する。即ち、脚部が、根元部２４、先端部２５、および後方当接部２７ｂを有すると言うことができる。
【００４１】
根元部２４は、被支持物の支持状態で、脚部片１４の後方端に位置する部分であって、台紙本体１３との接合部分である。即ち、根元部２４は、脚部の付け根であり、台紙本体１３の下端部２２から所定長さ上方に設けられている。所定長さとしては、図１に示す例では、キャップ部１０２の長さよりもやや長めに設定することができる。当該所定長さ、即ち根元部２４が設けられる上下方向に対する位置は、被支持物の種類等に応じて任意に設定できるが、ディスプレイ性や自立性の観点から、上下方向の中間位置よりも下方であることが好ましい。
【００４２】
先端部２５は、被支持物の支持状態で、脚部片１４の前方端に位置する部分であって、静置面２００に接触する部分である。即ち、先端部２５は、脚部の先端であり、台紙本体１３の下端部２２よりも前方の静置面２００に接触する。そして、図２に示すように、先端部２５は、チューブ状容器１００の重心Ｐ１に対応する静置面２００上の位置Ｐ２よりも前方の静置面２００に接触することが好ましい。即ち、脚部片１４の根元部２４から先端部２５までの長さ（以下、単に長さとも称する）は、先端部２５が重心対応位置Ｐ２よりも前方に延びるように設定されることが好ましい。
【００４３】
ここで、チューブ状容器１００の重心Ｐ１に対応する静置面２００上の位置Ｐ２とは、重心Ｐ１から鉛直方向に下ろした線と静置面２００とが交わる位置であり、以下、重心対応位置Ｐ２と称する。なお、重心Ｐ１の位置は、被支持物によって異なり、ゆえに、重心対応位置Ｐ２も被支持物によって異なるので、脚部片１４の長さは、被支持物にとって適切な長さに適宜変更することが好ましい。
【００４４】
挿入開口２６は、被支持物の支持状態で、キャップ部１０２が挿入可能な大きさを有する、脚部片１４を厚み方向に貫通した貫通孔である。より詳しくは、挿入開口２６の幅は、例えば、キャップ部１０２の直径（Ｄ；キャップ部１０２の最大直径）よりもやや長目（同等以上）に設定される。また、挿入開口２６の長さ（Ｌ）は、例えば、Ｌ≧Ｄ／ｃｏｓθの式に基づいて設定することができる。ここで、θは、脚部片１４と静置面２００とのなす角度である。
【００４５】
また、挿入開口２６は、脚部片１４の挿入開口２６以外の部分である脚部が、キャップ部１０２を両側から挟んで前方に延びる形状となるように形成されることが好ましく、図１に示すように、脚部がキャップ部１０２の全周囲、即ちキャップ部１０２の両側および前後を囲む形状となるように形成されることがより好ましい。ゆえに、挿入開口２６は、少なくとも脚部片１４の幅方向の両側を残して幅方向の中央部に形成されることが好ましく、脚部片１４の長さ方向（前後方向）および幅方向の中央部に形成されることがより好ましい。
【００４６】
図１に示す例では、挿入開口２６の形状は、略正方形であり、開口周縁部２７がキャップ部１０２の全周囲を囲むように形成されているが、後述の各実施形態に示すように、種々の形状とすることができる。例えば、脚部片の形状がコの字となるように、脚部片の幅方向の一方端から切り込まれた挿入開口とすることもできる。この場合、脚部は、キャップ部１０２の片側で前方に延びる形状となる。
【００４７】
後方当接部２７ｂは、開口周縁部２７のうち、被支持物の支持状態でキャップ部１０２の後方に当接する部分である。即ち、後方当接部２７ｂは、キャップ部１０２の後方に位置する開口周縁部２７（以下、後方縁部とする）の一部であって、より詳しくは、後方縁部の中央部およびその近傍に位置する。なお、支持体１０において、後方縁部は、脚部片１４の幅方向に沿って延びた直線形状を有し、略円柱形状のキャップ部１０２が略正方形状の挿入開口２６の中心に挿入されている。
【００４８】
図１に示す例では、開口周縁部２７のうち後方縁部のみにキャップ部１０２に当接する後方当接部２７ｂが存在するが、例えば、開口周縁部２７において、キャップ部１０２の前方に位置する前方縁部、側方に位置する側方縁部に、キャップ部１０２と当接する当接部が存在するように、挿入開口２６が形成されてもよい。なお、前方縁部に当接部が設けられる場合には、後方当接部２７ｂと異なった有利な作用効果を支持体に提供する（後述の実施形態２参照）。
【００４９】
ここで、図３を用いて、支持体１０の構成をさらに説明する。
【００５０】
図３は、支持体１０の折り畳み形態を示す平面図である。折り畳み形態とは、脚部片１４が前方に折り曲げられておらず、台紙本体１３と脚部片１４とが同一平面上に配置されて折り畳まれた形態を意味する。なお、図３において、熱収縮性フィルム１１は、熱収縮前の状態であり、符号に（  ）を付して熱収縮後の状態と区別する。
【００５１】
図３に示すように、熱収縮性フィルム（１１）は、センターシール部１７を有し、チューブ状容器１００が挿入可能な筒状体として、台紙本体１３の前面１９に設けられた貼着部２１に貼着されている。熱収縮性フィルム（１１）の筒状体は、その直径がチューブ状容器１００の最大直径よりも大きく、また、その長さがチューブ状容器１００の長さとほぼ同じであり、熱収縮により先端および末端を除くチューブ状容器１００の全体を覆う。また、チューブ状容器１００は、キャップ部１０２の先端が静置面２００に接触しない状態で支持されるから、熱収縮性フィルム（１１）の筒状体は、その下端が台紙本体１３の下端部２２からやや上方の位置となるように、貼着部２１に貼着されている。
【００５２】
台紙１２は、その平面形状が略矩形形状であって、長手方向の一方端の中央部のみが長手方向に沿って延出した形状を有している。なお、この延出部を含む一方端が、支持形態において支持体１０の下端となり静置面２００に接触する部分、即ち台紙本体１３の下端部２２および脚部片１４の先端部２５となる。より詳しくは、延出部の先端が先端部２５に、延出部の両側部分が下端部２２にそれぞれ対応する。
【００５３】
台紙１２には、延出部の側辺の延長線上に沿って、台紙１２の上方に切り込まれた２本の切断線１５と、２本の切断線１５の上端をつなぎ、台紙１２の幅方向に沿った折り曲げ罫線１６とが形成されている。そして、台紙１２において、延出部と、２本の切断線１５および折り曲げ罫線１６に囲まれた部分とを足した部分が脚部片１４となり、脚部片１４以外の部分が台紙本体１３となる。即ち、台紙１２には、台紙本体１３の下端部２２から上方に切り込まれ台紙本体１３と脚部片１４とを分離する２本の切断線１５と、台紙本体１３と脚部片１４との境界位置に形成される折り曲げ罫線１６とが形成されている。図１および図２に示す被支持物の支持形態は、この脚部片１４を前方に折り曲げることで得られる。
【００５４】
脚部片１４は、台紙１２の下端から延出する延出部の大きさ、切断線１５の長さおよび形成位置等を調整することによって、その大きさや台紙本体１３に対する位置を適宜変更できる。例えば、切断線１５の長さを長くすれば、脚部片１４の長さが長くなり、２本の切断線１５の間隔を広くすれば、脚部片１４の幅が長くなる。なお、脚部片１４は、上記のように、その幅方向の中心が台紙本体１３の幅方向の中心と一致することが好ましいから、２本の切断線１５は、台紙１２の側端部からの長さがそれぞれ等しい位置に形成されることが好ましい。
【００５５】
次に、上記構成を備える支持体１０の作用効果について説明する。
【００５６】
図１および図２に示すように、支持体１０は、熱収縮性フィルム１１で包装されたチューブ状容器１００を台紙本体１３の貼着部２１で貼着して支持する。そして、支持体１０は、台紙本体１３の下端部２２がチューブ状容器１００の後方の静置面２００に、脚部片１４の先端部２５がチューブ状容器１００の前方の静置面２００にそれぞれ接触する。即ち、台紙本体１３が支持体１０の後脚、脚部片１４が支持体１０の前脚として、それぞれ機能し、チューブ状容器１００が静置面２００に接触していない形態であっても、その重量を分散して安定した自立状態を実現する。
【００５７】
また、支持体１０において、脚部片１４の先端部２５は、チューブ状容器１００の重心対応位置Ｐ２よりも前方の静置面２００に接触し、且つ台紙本体１３の下端部２２もチューブ状容器１００の重心対応位置Ｐ２よりも後方の静置面２００に接触する。さらに、先端部２５および下端部２２は、チューブ状容器１００の前後において、チューブ状容器１００の両側の静置面２００に接触する。したがって、支持体１０は、前後方向および横方向のいずれから力を受けても、その力を十分に受容することができ、支持体１０の転倒を高度に防止することができる。
【００５８】
また、脚部片１４は、チューブ状容器１００の後方に当接する後方当接部２７ｂを有するので、支持体１０を前傾させるような力が加わった場合であっても、脚部片１４が上方に浮き上がって先端部２５が静置面２００から離れることを防止でき、特に前方への前傾や転倒をより高度に防止することができる。即ち、脚部片１４は、被支持物であるチューブ状容器１００によって下方に押さえ付けられている状態であり、脚部片１４が上方に浮き上がろうとしても、後方当接部２７ｂがチューブ状容器１００のキャップ部１０２の後方にあたっているから、脚部片１４は上方に向かって動くことができない。
【００５９】
また、脚部片１４は、台紙本体１３の下部から下向きに傾斜して前方に延び、チューブ状容器１００の前方を広く覆うことがないので、プラスチックケースを使用したブリスターパックと同様の優れたディスプレイ性を備える。
【００６０】
次に、図４を用いて、支持体１０の支持形態を作製する手順を説明する。
【００６１】
図４は、折り畳み形態から支持形態を作製する過程を示す側面図である。図４（ａ）は、折り畳み形態を、図４（ｄ）は、支持形態を、それぞれ示す図である。
まず初めに、図４（ａ）に示す折り畳み形態において、台紙本体１３の貼着部２１に貼着された熱収縮性フィルム（１１）の筒状体の内部に、開放された上端又は下端からチューブ状容器１００を挿入する。このとき、キャップ部１０２が脚部片１４側となるようにチューブ状容器１００を挿入し、図４（ｂ）に示す状態の支持体１０を得る。
【００６２】
続いて、熱収縮性フィルム（１１）を熱収縮させて、チューブ状容器１００を包装する。図４（ｃ）に示すように、熱収縮性フィルム１１は、先端および末端を除く全体を覆ってチューブ状容器１００に密着し、台紙本体１３の前面１９に熱収縮性フィルム１１を介してチューブ状容器１００が貼着された状態の支持体１０が得られる。なお、熱収縮性フィルム１１の熱収縮処理は、例えば、所定温度に設定された熱風トンネルを用いて行うことができる。
【００６３】
最後に、脚部片１４を折り曲げ罫線１６で前方に折り曲げることによって、図４（ｄ）に示す支持体１０の支持形態が得られる。より詳しくは、脚部片１４の挿入開口２６をキャップ部１０２に通して、挿入開口２６の後方縁部がキャップ部１０２に当接するまで折り曲げる。
【００６４】
ここで、図５を用いて、支持体１０の変形例である支持体１０ｘについて、支持体１０と異なる部分を説明する。
【００６５】
図５は、支持体１０ｘの折り畳み形態を示す平面図であって、図３に対応する図である。なお、図５では、支持体１０と異なる構成要素の符号にｘを付する。
図５に示すように、支持体１０ｘにおいて、台紙１２ｘは、その平面形状が矩形形状であって、幅方向の中央部のみが延出した延出部を有していない。一方、台紙１２ｘに形成される２本の切断線１５ｘは、いずれもＬ字状に切り込まれ、台紙１２ｘの上下方向だけでなく幅方向に沿っても形成される。なお、切断線１５ｘにおいて、台紙本体１３の幅方向に沿った部分が下端部２２と脚部片１４ｘとの境界線となり、その部分の長さによって下端部２２の幅が決定される。
【００６６】
図５に示す例では、脚部片１４ｘは、先端部２５を含む先端側部分の幅が台紙本体１３の幅と同一幅となった、先端側部分のみが幅広の形状を有している。このような構成とすれば、脚部片１４ｘの静置面２００に対する接触面積が増加するので、自立形態の安定性向上に寄与する。また、脚部片１４ｘの面積を広くすることで、脚部片１４ｘの前面を、商品名やデザイン等を表示するための印刷面として有効に利用することができる。
【００６７】
なお、上記では、上下方向に沿って互いに平行な直線状の切断線１５（図３参照）、およびＬ字状の切断線１５ｘ（図５参照）を例示したが、切断線は曲線状等であってもよく、また、２本の切断線の間隔が下方に向かって徐々に広がったハの字状等に形成されたものであってもよい。
【００６８】
また、上記では、台紙本体１３の前面１９に熱収縮性フィルム１１に包装されたチューブ状容器１００を保持するために、貼着部２１を例示したが、保持手段としてはこれに限定されず、例えば、台紙本体１３に熱収縮性フィルム１１を引っ掛ける切り込み部を形成してチューブ状容器１００を保持することもできる。
【００６９】
＜第２実施形態＞
図６および図７を用いて、第２実施形態である支持体３０について以下説明する。なお、以下では、第１実施形態である支持体１０の構成要素と同一の構成要素については、同一の符号を付して重複する説明を省略する。
【００７０】
図６は、支持体３０の折り畳み状態を示す平面図、図７は、支持体３０に、チューブ状容器１００が支持されて、静置面２００に自立展示されている状態を示す側面図であり、それぞれ、図３および図２に対応する図である。
図６および図７に示すように、支持体３０は、支持体１０と同様に、熱収縮性フィルム３１と、台紙３２とから構成され、台紙３２は、台紙本体３４と、脚部片３５とで構成されている。
【００７１】
図６に示すように、熱収縮性フィルム（３１）は、センターシール部１７に加えて、エンドシール部３３を有する。エンドシール部３３は、熱収縮性フィルム（３１）の筒状体の上端開口を塞ぐための接合部であって、筒状体の幅方向に沿って上端に形成される。また、熱収縮性フィルム（３１）の筒状体の長さは、支持体１０の熱収縮性フィルム（１１）よりも長く、その下端部分が台紙本体１３の下端部２２から延出するように貼着部３６に貼着されている。
【００７２】
台紙本体３４は、貼着部３６が設けられる部分に舌片３７が設けられ、また、貼着部３６が設けられる領域が上下方向に長くなった点で、支持体１０の台紙本体１３と異なる。舌片３７は、台紙本体３４の幅方向および上下方向の中央部に形成され、上下方向に沿って細長い形状を有する。舌片３７は、例えば、その平面形状が矩形形状であって、台紙本体３４とつながる下辺部に折り曲げ罫線が形成されて、当該下辺部で前方に折り曲げ可能な片である。なお、貼着部３６は、舌片３７の下辺部を越えた下部領域まで設けることができる。
【００７３】
脚部片３５は、挿入開口３８の形状が、チューブ状容器１００のキャップ部１０２の形状に対応した円弧部分を有する点で、支持体１０の脚部片１４と異なる。脚部片３５は、脚部片１４と同様に、キャップ部１０２の後方に当接する後方当接部３９ｂを有するが、その形状がキャップ部１０２に沿った円弧形状であることを特徴とする。また、脚部片３５は、キャップ部１０２の前方の一部にも当接する前方係合部３９ｆを有する。
【００７４】
図７に示すように、支持体３０の支持形態は、支持体１０の支持形態と同様に、脚部片３５の先端部２５と、台紙本体３４の下端部２２とが、それぞれ重心対応位置Ｐ２の前後に接触して、安定した自立状態を提供する点において共通する。
【００７５】
一方、以下の点において、支持体３０と支持体１０とは相違する。まず、チューブ状容器１００のキャップ部１０２が静置面２００に接触した状態で支持されている。そして、熱収縮性フィルム３１が、容器本体１０１の末端を覆い、静置面２００に接触するキャップ部１０２の先端部の周縁に掛かって装着される。また、熱収縮性フィルム３１の熱収縮により、舌片３７が前方に引っ張られて前傾し、台紙本体３４の全体が前傾することを防止している。即ち、舌片３７は、熱収縮性フィルム３１の熱収縮による支持体３０の形状変化を防止して、安定な自立形態を維持する機能を有する。
【００７６】
また、脚部片３５の後方当接部３９ｂは、キャップ部１０２の形状に沿って、その後方に隙間なく当接するから、脚部片３５の浮き上がりを十分に抑制して前方への転倒防止に寄与する。さらに、脚部片３５の前方係合部３９ｆは、キャップ部１０２の前方に当接するから、脚部片３５はキャップ部１０２から自然に外れることがなく、脚部片３５の折り曲げ形状を維持することができる。
【００７７】
＜第３実施形態＞
図８を用いて、第３実施形態である支持体４０について以下説明する。
【００７８】
図８は、支持体４０の台紙４１を示す斜視図であって、静置面２００に自立させた状態を示す図である。
図８に示すように、支持体４０において、台紙４１は、台紙本体４２と、脚部片１４とから構成されている。なお、支持体４０は、支持体１０と同様に、熱収縮性フィルム１１を備えることができるが、熱収縮性フィルム１１を備えずに、台紙本体４２の貼着部２１に直接、被支持物を貼着して支持することもできる。
【００７９】
台紙本体４２は、後方に折れ曲がる後方脚部片４３を有する点で、支持体１０の台紙本体１３と異なる。また、台紙本体４２には、吊り下げ孔２３が設けられていない。台紙本体４２は、貼着部２１が設けられる平坦な平坦部４６と、後方脚部片４３とを備え、後方脚部片４３は、脚部片１４の両側に設けられている。後方脚部片４３は、台紙本体４２の幅方向に沿って形成された折り曲げ罫線４４で、折り曲げ罫線４４の下方に位置する部分が後方に折り曲げられて形成されている。したがって、支持体４０は、台紙本体４２の下端部４５が、貼着部２１が設けられる平坦部４６を延長したときに接触する静置面２００の位置よりも後方の静置面２００に接触する。
【００８０】
また、台紙４１は、折り畳み形態において、その平面形状が矩形形状であり、一部のみが延出した延出部を有さず、台紙本体４２の下端部４５と脚部片１４の先端部２５とが同一直線上に並んで配置されている点で、支持体１０の台紙１２と異なる。支持体４０は、台紙本体４２の下部に、後方に折り曲げられる後方脚部片４３を備えるので、脚部片１４が折り畳み形態で台紙４１から延出していなくても、貼着部２１が設けられる平坦部４６を鉛直方向に沿って真直ぐ配置することが可能である。
【００８１】
＜第４実施形態＞
図９を用いて、第４実施形態である支持体５０について以下説明する。
【００８２】
図９は、支持体５０の台紙５１および脚部台紙５２を示す斜視図であって、静置面２００に自立させた状態を示す図である。
図９に示すように、支持体５０は、被支持物の貼着部２１を有する台紙５１と、脚部台紙５２とから構成されている。なお、支持体５０は、支持体１０と同様に、熱収縮性フィルム１１を備えることができるが、熱収縮性フィルム１１を備えずに、台紙５１の貼着部２１に直接、被支持物を貼着して支持することもできる。
【００８３】
台紙５１は、脚部片１４、および台紙本体１３における脚部片１４に対応する凹状部、吊り下げ孔２３を有さない平坦なシートである点で、支持体１０の台紙１２および台紙本体１３と異なる。そして、台紙５１には、その前面５３の下方に、脚部台紙５２が接合されている。一方、台紙５１の前面５３には、台紙本体１３と同様に、貼着部２１が設けられており、被支持物を貼着することができる。
【００８４】
脚部台紙５２は、台紙５１とは別の台紙であって、接合部５４と、２本の脚部片５５とを備えている。接合部５４は、台紙５１の前面５３に接合される部分であり、且つ２本の脚部片５５を連結する部分である。接合部５４は、例えば、その後面に、貼着部２１を構成する接着剤や粘着テープが設けられ、前面５３の貼着部２１よりやや下方に接合される。そして、接合部５４の両側に脚部片５５の根元部５６が接続されている。
【００８５】
２本の脚部片５５は、途中においても互いに連結されておらず、それぞれ独立して前方に折り曲げることができ、根元部５６には、台紙１２と同様の折り曲げ罫線１６を形成することができる。２本の脚部片５５は、図示しない被支持物を両側から挟むように、被支持物の大きさに対応する間隔をあけてそれぞれ設けられている。図９に示す例では、２本の脚部片５５の長さは、互いに等しく、先端部５７が接触する静置面２００の前後方向の位置も略同一であるが、一方の脚部片５５を他方より長くすることも可能である。或いは、一方の脚部片５５を備えず、被支持物の片側だけから延びる脚部片５５を備えた構成とすることも可能である。
【００８６】
＜第５実施形態＞
図１０〜１３を用いて、第５実施形態である支持体６０について以下説明する。
【００８７】
図１０は、支持体６０にチューブ状容器１００が支持されて、支持体６０によって静置面２００上に自立している状態を示す図である。図１１は、図１０に示す支持体６０の側面図であり、図１２は、図１０に示す支持体６０の背面図である。なお、ここで示す例では、チューブ状容器１００が静置面２００に接触しない状態で支持されているが、チューブ状容器１００は静置面２００に接触していてもよい。
【００８８】
図１０に示すように、支持体６０は、熱収縮性フィルム１１と、台紙６１とから構成される。台紙６１は、その下部全体を折り曲げ罫線６５で前方に折り曲げ、折り曲げた部分をその中途部から後方に折り返して脚部片６３を形成する点で、支持体１０の台紙１２と異なる。具体的に、台紙６１は、チューブ状容器１００が貼着される部分である台紙本体上部６２と、脚部片６３と、支持体６０の後脚として機能する部分である台紙本体下部６４と、後面接合部７９とから構成されている。なお、図１０に示す例では、台紙本体上部６２および脚部片６３と、台紙本体下部６４とが１枚の台紙から構成されているが、例えば、別の台紙を準備し、その別台紙を台紙本体上部６２の後面６７に接合することで、台紙本体下部６４としてもよい。
【００８９】
台紙本体上部６２は、支持体１０の台紙本体１３と同様に、その平面形状が上下方向に長い矩形形状であり、前面６６にチューブ状容器１００を包装した熱収縮性フィルム１１を貼着するための貼着部２１を有する。また、台紙本体上部６２と脚部片６３との境界位置には、全幅にわたって幅方向に折り曲げ罫線６５が形成されている。即ち、台紙本体上部６２の下端からは、台紙本体上部６２と同じ幅の脚部片６３が前方に向かって延びている。
【００９０】
脚部片６３は、下端部８０より所定長さ上方に位置する根元部６８から下向きに傾斜して前方に延び、図１１に示すように、先端部６９が重心対応位置Ｐ２よりも前方の静置面２００に接触する。そして、脚部片６３は、台紙６１の下部全体を前方に折り曲げて形成される表面部７０と、折り曲げた台紙６１を後方に折り返して形成され表面部７０の裏側に重ね合わせられる裏面部７１とから構成されている。即ち、脚部片６３は、台紙を重ね合わせて、剛性を高めた積層構造を有する。
【００９１】
また、脚部片６３には、幅方向の中央部に、略正方形状の挿入開口７２が形成されている。そして、挿入開口７２の後方縁部には、キャップ部１０２の後方に当接して脚部片６３の浮き上がりを防止するための後方当接部７３が設けられている。また、挿入開口７２の前方縁部にも、キャップ部１０２の前方に当接して挿入開口７２からキャップ部１０２が抜けることを防止するための前方係合部７４が設けられている。挿入開口７２の形状はこの構成に限定されず、例えば、後方当接部を有さない形状、またはキャップ部の側方にも当接する当接部を有する形状等であってもよい。
【００９２】
また、脚部片６３は、途中で折れ曲がった形状を有し、具体的には、チューブ状容器１００よりも前方に位置する先端部分が、挿入開口７２の両側に形成される第１折り曲げ罫線７５で下方に折り曲げられている。図１０に示す例において、前方係合部７４は、後方当接部７３の方向に向かって湾曲し、両側の第１折り曲げ罫線７５をつなぐように形成されている。脚部片６３の先端部分が第１折り曲げ罫線７５で下方に折り曲げられると、前方係合部７４が脚部片６３の先端部分の傾斜角度に沿って上方に延び、キャップ部１０２の前方に当接するようになる。
【００９３】
表面部７０は、上方に向いた面を有する部分であって、ここには、後方当接部７３および前方係合部７４を有するように挿入開口７２が形成される。また、表面部７０には、第１折り曲げ罫線７５が形成されると共に、表面部７０と裏面部７１との境界位置に、第２折り曲げ罫線７６が形成されている。なお、第２折り曲げ罫線７６が形成される表面部７０と裏面部７１との境界位置が脚部片６３の先端部６９となる。
【００９４】
裏面部７１は、下方に向いた面を有し、表面部７０の裏側に重ね合わされる部分であって、第２折り曲げ罫線７６で台紙６１を後方に折り返すことで形成される。なお、裏面部７１は、表面部７０の形状に適合した形状を有する。詳しくは後述するが（図１３参照）、裏面部７１には、表面部７０と重ね合わされたときに、挿入開口７２に対応する位置に開口８２および台紙本体下部６４が形成されている。また、裏面部７１には、第１折り曲げ罫線７５に対応する位置に第３折り曲げ罫線７７が、折り曲げ罫線６５に対応する位置に第４折り曲げ罫線７８が、それぞれ形成されている。
【００９５】
後面接合部７９は、裏面部７１の第４折り曲げ罫線７８の形成位置から上方に向かって延出し、台紙本体上部６２の後面６７に回り込んで、後面６７に接合される部分である。後面接合部７９と後面６７との間には、例えば、接着剤が塗布される、或いは両面粘着テープ等が貼着される。接着剤や両面粘着テープとしては、特に限定されず、例えば、貼着部２１と同様の接着剤を用いることができる。この後面接合部７９によって、支持体６０の後脚として下方に延びる台紙本体下部６４を安定化させることができる。
【００９６】
なお、表面部７０と裏面部７１とは、適宜接着剤等で接合することができ、特に先端部分や挿入開口７２の周辺部分は互いに接合されていることが好ましい。
【００９７】
台紙本体下部６４は、裏面部７１に切断線８１（図１３参照）を切り込むことで形成され、図１１に示すように、後面接合部７９から下方に延びて重心対応位置Ｐ２よりも後方に位置する静置面２００に接触する部分である。図１２に示すように、台紙本体下部６４は、被支持物の支持状態で静置面２００に接触する下端部８０が直線状に形成され、下方に向かって幅が広くなった台形形状を有している。また、台紙本体下部６４と後面接合部７９との間には、折り曲げ罫線は形成されない。なお、ここで例示する台紙本体下部６４の形状は、幅方向の両側を除く部分に形成された幅広の台形形状であるが、例えば、幅方向の中央部のみに形成されるものであってもよく、切断線８１の形成位置、長さ等を変更して任意に調整することができる。
【００９８】
次に、図１３を用いて、支持体６０の構成をさらに説明する。
【００９９】
図１３は、図１０に示す支持体６０の台紙６１の展開図であり、熱収縮性フィルム１１を省略したものである。図１３に示すように、台紙６１は、展開形態の平面外郭形状が矩形形状であって、長手方向の上方から順に、折り曲げ罫線６５、第１〜第４折り曲げ罫線７５〜７８が幅方向に沿って形成されている。なお、折り曲げ罫線６５の形成位置が脚部片６３の根元部６８となり、第２折り曲げ罫線７６の形成位置が脚部片６３の先端部６９となる。また、折り曲げ罫線６５と第２折り曲げ罫線７６との間が表面部７０である。そして、第２折り曲げ罫線７６よりも下方が裏面部７１であり、裏面部７１の一部に切断線８１が切り込まれて台紙本体下部６４が形成される。
【０１００】
また、表面部７０には、後方当接部７３および前方係合部７４を有するように形成された挿入開口７２が設けられている。そして、裏面部７１には、挿入開口７２に対応するように、挿入開口７２と同一幅の開口８２が第２折り曲げ罫線７６から台紙本体下部６４の下端部８０を形成する切断線８１の形成位置にわたって設けられている。裏面部７１において、切断線８１に囲まれた台紙本体下部６４の部分は、第４折り曲げ罫線７８が折り曲げられる（図１３の紙面の奥側に）ことで、開口８２とつながった台形形状の開口となり、キャップ部１０２が脚部片６３を挿通することが可能になる。
【０１０１】
なお、本発明に係る支持体は、上記第１〜第５実施形態を適宜組み合わせた形態とすることが可能である。例えば、第１実施形態の熱収縮性フィルム１１の筒状体（図３等参照）を、第２実施形態（図６等参照）に適用してもよい。
【符号の説明】
【０１０２】
１０  支持体、１１  熱収縮性フィルム、１２  台紙、１３  台紙本体、１４  脚部片、１５  切断線、１６  折り曲げ罫線、１７  センターシール部、１８  ミシン目線、１９  前面、２０  後面、２１  貼着部、２２  下端部、２３  吊り下げ孔、２４  根元部、２５  先端部、２６  挿入開口、２７  開口周縁部、２７ｂ  後方当接部、３３  エンドシール部、３７  舌片、３９ｆ  前方係合部、４３  後方脚部片、４４  本体折り曲げ罫線、４６  平坦部、５２  脚部台紙、５４  接合部、６２  台紙本体上部、６４  台紙本体下部、７０  表面部、７１  裏面部、７５  第１折り曲げ罫線、７６  第２折り曲げ罫線、７７  第３折り曲げ罫線、７８  第４折り曲げ罫線、７９  後面接合部、８２  開口、１００  チューブ状容器、１０１  容器本体、１０２  キャップ部、２００  静置面、Ｐ１  重心、Ｐ２  重心対応位置。
【図１】
2012020762.tif 000003
【図２】
2012020762.tif 000004
【図３】
2012020762.tif 000005
【図４】
2012020762.tif 000006
【図５】
2012020762.tif 000007
【図６】
2012020762.tif 000008
【図７】
2012020762.tif 000009
【図８】
2012020762.tif 000010
【図９】
2012020762.tif 000011
【図１０】
2012020762.tif 000012
【図１１】
2012020762.tif 000013
【図１２】
2012020762.tif 000014
【図１３】
2012020762.tif 000015